(57)【要約】【課題】  多種多数の機器で構成される複雑な接続構成を持つシステム環境において、機器の接続関係が容易に確認できる配線支援システムを提供することにある。【解決手段】  装置１とデバイス２とを接続する複数の伝達部４によって構成される配線支援システムにおいて、装置１は、前記複数の伝達部のそれぞれの一端に接続される複数の発信部３１と、該複数の発信部３１の中から、前記伝達部に情報を伝達する発信部３１を選択する選択部３２とを備え、デバイス２は、前記伝達部の他端に接続される受信部５１と、該受信部５１が受信した情報に従って動作する動作部５２とを備える。【選択図】  図１
2007201651.tif 000002
【特許請求の範囲】
【請求項１】
第１の装置と複数の第２の装置と、該第１の装置と該複数の第２の装置それぞれとを接続する複数の伝達部によって構成される配線支援システムにおいて、
前記第１の装置は、前記複数の伝達部のそれぞれの一端に接続される複数の発信部と、該複数の発信部の中から、前記伝達部に情報を伝達する発信部を選択する選択部とを備え、
前記第２の装置は、前記伝達部の他端に接続される受信部と、該受信部が受信した情報に従って動作する動作部とを備えることを特徴とする配線支援システム。
【請求項２】
前記伝達部は光ファイバであり、前記選択部はＬＥＤであり、前記動作部はレンズであることを特徴とする請求項１記載の配線支援システム。
【請求項３】
前記配線支援システムは、前記第１の装置を複数備え、
前記伝達部は、前記第１の装置または前記第２の装置を識別する制御を行う制御部を備えることを特徴とする請求項１または２記載の配線支援システム。
【発明の詳細な説明】
【技術分野】
【０００１】
本発明は、通信システムなど多数の機器により構成され、各機器がケーブルで接続されるシステムにおいて、接続の確認及び変更などの支援を行う配線支援システムに関する。
【背景技術】
【０００２】
負荷分散システムなど多数の装置やデバイスからなる大規模システムにおいては、使用されるケーブルが多数あり、また装置やデバイスに接続されるケーブルの種類及び数も増加している。この為、装置とデバイスの構成やケーブルの変更を容易に行うことができず、誤作業が発生する可能性がある。特許文献１には、ケーブルの識別力を向上させる技術が開示されている（特許文献１参照）。
【０００３】
【特許文献１】特開２００１−１４５２２１号公報
【発明の開示】
【発明が解決しようとする課題】
【０００４】
上記特許文献１に記載された技術では、多種多数本のケーブルで構成される複雑な接続構成を持つシステムにおいて、配線の変更があった場合に機器の接続関係が容易に確認できないおそれがある。
【０００５】
本発明の目的は、機器の接続関係が容易に確認できる配線支援システムを提供することにある。
【課題を解決するための手段】
【０００６】
上記目的を達成するために本発明は、第１の装置と複数の第２の装置と、該第１の装置と該複数の第２の装置それぞれとを接続する複数の伝達部によって構成される配線支援システムにおいて、前記第１の装置は、前記複数の伝達部のそれぞれの一端に接続される複数の発信部と、該複数の発信部の中から、前記伝達部に情報を伝達する発信部を選択する選択部とを備え、前記第２の装置は、前記伝達部の他端に接続される受信部と、該受信部が受信した情報に従って動作する動作部とを備える構成を採用した。
【発明の効果】
【０００７】
本発明によれば、多種多数の機器で構成される複雑な接続構成を持つシステム環境において、配線の変更や機器の接続関係を容易に確認することができる。
【発明を実施するための最良の形態】
【０００８】
以下、本発明の一実施形態を図面に基づいて説明する。図１は、本実施形態における配線支援システムの構成を示すブロック図であり、図２は、図１に示すシステムにおける制御部３と識別部５の内部構成を詳細に示す構成図である。
【０００９】
図１に示す配線支援システムは、コンピュータなどのシステムを構成する装置１（第１の装置）と複数のデバイス２（第２の装置）とが伝達部４を介して接続されて構成されている。装置１の制御部３は、伝達部４を経由して識別の対象となるデバイス２に設けられた識別部５を制御し、識別部５は制御部３からの操作により、発光などの識別情報の出力を行う。これにより、対象となるデバイス２の識別を行うことができる。伝達部４は、装置１とデバイス２の間で制御部３からの信号を伝達するものである。本実施形態では、装置１が接続元の機器であり、デバイス２が接続先の機器である。
【００１０】
制御部３は、図２に示すように、発信部３１と選択部３２を備える。発信部３１は伝達部４に接続され、伝達部４を介して識別部５に信号を送信する。また、装置１に接続されるデバイス２の数に応じて、制御部３に１つ以上の発信部３１（発信部３１−１、…、発信部３１−Ｎ）が備えられている。選択部３２は、複数の発信部３１の中から、特定の伝達部４に接続している発信部３１を選択し、選択された発信部３１は、識別の対象となるデバイス２に対して信号の送信を行う。また、制御部３は、メモリなどの記憶部（図示せず）を備え、その装置１に接続された発信部、伝達部、デバイスの接続関係を示すテーブルを記憶する。
【００１１】
識別部５は、受信部５１と動作部５２から構成される。受信部５１は、制御部３からの信号を伝達部４経由で受信して動作部５２に送信する。受信部５１は、あるデバイス２が接続されている装置１の数に応じて、複数設けられている（受信部５１−１、…、受信部５１−Ｍ）。動作部５２は、受信部５１から受信した情報に従って、識別情報の出力（発光など）を行う。
【００１２】
この構成によれば、装置１の制御部３が識別部５を制御することで、装置１に接続される複数のデバイス２の中から確実且つ容易に特定のデバイス２を識別することができる。
【００１３】
図１または図２に示すシステムの具体的な構成は、例えば次の（ａ）〜（ｄ）のようなものが考えられる。
【００１４】
（ａ）伝達部４として光ファイバを用い、選択部３２としてＬＥＤなどの発光源を用いる。光ファイバ（伝達部４）の一端を送信部３１に接続し、光ファイバの他端を受信部５１に接続する。動作部５２として、光を受け発光するレンズを使用する。制御部３のＬＥＤ（選択部３２）が発光して、その装置１に接続されるデバイス２のレンズ（動作部５２）が点灯することにより、接続されたデバイス２の識別を行うことができる。この場合、選択部３２は、装置１のすべての発信部３１を選択することになる。つまり、装置１に接続された全てのデバイス２を識別する構成である。ここで、図４に示すように、光ファイバ４１をケーブル６に沿って配線する構成と、光ファイバ４１をケーブル６に内蔵する構成がある。
【００１５】
（ｂ）制御部３としてスイッチを用い、伝達部４としてスイッチのＯＮ／ＯＦＦ等の信号を伝達する電線を用い、識別部５としてＬＥＤなどの発光源を使用する。スイッチ（制御部３）の切り替えにより、該当する装置１に接続されたデバイス２のＬＥＤ（識別部５）が点灯する。これにより装置１と接続しているデバイス２を識別することができる。
【００１６】
（ｃ）（ｂ）において、伝達部４として無線環境を用いる。制御部３は信号を送信することにより、識別部５はその信号の受信および解析を行い、発光源を制御する。これにより、装置１と接続しているデバイス２を識別することができる。
【００１７】
（ｄ）識別部５を、ケーブルで発生する磁界により発光する構成とし、制御部３が、ケーブルに流れる電流を制御する構成とする。これにより、制御部３によって制御された電流がケーブルを流れ、その電流により、電流が流れるケーブルの周囲で発生した磁界を検知して識別部５が発光することで、装置１と接続されているデバイス２を識別することができる。
【００１８】
上記（ａ）〜（ｄ）においては、どの発信部３１を選択するか、どの伝達部４を選択するか、またはどのデバイス２を選択するかについては、例えば、コンピュータシステムにおけるキーボードなどの入力部（図示せず）から、選択される伝達部やデバイスの情報が入力されて、制御部３内にあるメモリに記憶された「発信部、伝達部、デバイスの接続関係」を示すテーブルをもとに、選択部が該当する発信部などを選択する構成を採用することができる。
【００１９】
図３は、装置１、デバイス２及びケーブル４に、識別部５と制御部３を設けるシステム構成を示す。この構成によると、ある装置１に接続されたデバイス２を識別できるだけでなく、ある装置１に接続されたケーブル４を識別できる。また、あるケーブル４に接続された装置１及びデバイス２の識別を行うことも可能となる。
【００２０】
本実施例によれば、特定のケーブルや装置等の接続関係を目視で確認できるため、配線を理解することができ、システムの配線の変更などを容易に行うことができる。また、図１に示すように、ある制御部３に複数の伝達部４が接続され、その伝達部４それぞれが異なるデバイス２に接続される構成の場合、ある装置１に接続された複数のデバイス２を識別することができる。
【図面の簡単な説明】
【００２１】
【図１】本発明の一実施形態である配線支援システムの構成図を示す。
【図２】図１に示す配線支援システムにおける、制御部３と識別部５それぞれの内部構成を示す構成図である。
【図３】図１に示す配線支援システムにおける他の実施例であるシステム構成図を示す。
【図４】ケーブルと光ファイバとの配線例を示す図である。
【符号の説明】
【００２２】
１：装置、２：デバイス、３：制御部、３１：発信部、３２：選択部、４：伝達部、５：識別部、５１：受信部、５２：動作部
【図１】
2007201651.tif 000003
【図２】
2007201651.tif 000004
【図３】
2007201651.tif 000005
【図４】
2007201651.tif 000006